(57)【特許請求の範囲】
【請求項１】
浴室内の取付け対象壁部からその手前側に突出して取り付けられるブラケットと、
ケース内に所望の機器が組み込まれ、かつ前記取付け対象壁部とは非接触で離間した状態に前記ブラケットに保持されている機能ユニットと、
を具備している、浴室における機能ユニットの取付け構造であって、
前記機能ユニットの上面部および下面部には、上向きの上側凸部および下向きの下側凸部が設けられており、
前記ブラケットとして、下側ブラケット、およびこの下側ブラケットとは一体または別体で形成された上側ブラケットを備えており、
前記下側ブラケットは、前記取付け対象壁部に固定される下側固定板部と、この下側固定板部から前記取付け対象壁部の手前側に突出し、かつ前記機能ユニットを載せるための受板部と、この受板部に設けられ、かつ前記下側凸部が嵌入されることによって前記機能ユニットの下部側を前記取付け対象壁部から離間させるように位置決めすることが可能な下側位置決め用孔部とを有しており、
前記上側ブラケットは、前記取付け対象壁部に固定される上側固定板部と、この上側固定板部から前記取付け対象壁部の手前側に突出する支持板部と、この支持板部に設けられ、かつ前記上側凸部が嵌入されることによって前記機能ユニットの上部側を前記取付け対象壁部から離間させるように位置決めすることが可能な上側位置決め用孔部または下向き開口状の位置決め用凹部とを有しており、
前記受板部から上向きに起立するようにして前記下側ブラケットに設けられ、かつ前記機能ユニットを前記下側ブラケットの受板部上にその一側方から載せる際に、前記下側凸部が前記下側位置決め用孔部の形成箇所を越えて移動することを阻止するように前記機能ユニットの一側面に当接可能なストッパ部を、さらに備えており、
前記ストッパ部には、前記下側位置決め用孔部に連通し、かつ前記下側凸部を嵌入させることが可能な補助孔部が設けられていることを特徴とする、浴室における機能ユニットの取付け構造。
【請求項２】
請求項１に記載の浴室における機能ユニットの取付け構造であって、
前記機能ユニットは、前後方向の幅寸法よりも左右の横幅寸法の方が大きくされた略直方体状であり、かつこの機能ユニットの前面部および背面部が前記取付け対象壁部と略平行となる向きに取り付けられている、浴室における機能ユニットの取付け構造。
【発明の詳細な説明】
【技術分野】
【０００１】
本発明は、たとえば浴槽洗浄用などの機能ユニットを浴室内の所望の壁部に取り付けるための構造に関する。
【背景技術】
【０００２】
本出願人は、機能ユニットの取付け構造の一例として、特許文献１に記載された構造を先に提案している。
同文献に記載された構造においては、たとえば浴槽洗浄用の機能ユニットが、上側および下側のブラケットを利用して浴室の壁部に取り付けられている。浴槽洗浄用の機能ユニットは、ケース内に各種の流体機器や、洗剤投入用弁などが組み込まれた構成である。この機能ユニットにおいては、給湯器から供給されてくる湯水に洗剤を混入させることにより洗剤液（洗浄水）を生成し、この洗剤液を浴槽に設置された洗浄用ノズルに供給することが可能である。上側および下側ブラケットは、機能ユニットに設けられた凸部と係合可能な孔部などを有しており、機能ユニットをその一側面が浴槽の壁部に接触するようにして保持させることが可能である。機能ユニットを浴槽の壁部に接触させれば、機能ユニットの安定性を高めることが可能である。
【０００３】
しかしながら、前記従来技術においては、次のように、未だ改善すべき余地があった。
【０００４】
すなわち、機能ユニットは、浴槽の壁部に接触した状態で取り付けられているため、たとえば機能ユニットに組み込まれている開閉電磁弁の開閉動作が複数回にわたって繰り返される状況が生じ、機能ユニットが振動すると、この振動は浴槽の壁部に直接伝わる。その結果、機能ユニットと浴槽の壁部との間で衝突音（振動音）が発生し易くなる。このような衝突音は、ユーザにとって耳障りであり、適切に防止することが望まれる。
また、機能ユニットが浴槽の壁部に接触して取り付けられていると、外気温度が低い冬季には、機能ユニットが浴槽の壁部を介して外気によって冷やされ、機能ユニット内に結露が発生する虞もある。機能ユニット内の結露は、機能ユニット内に組み込まれている電気機器類に悪影響を及ぼす可能性があるため、やはりこのようなことも適切に防止することが望まれる。
【先行技術文献】
【特許文献】
【０００５】
【特許文献１】特開２０１４−２２６４４９号公報
【発明の概要】
【発明が解決しようとする課題】
【０００６】
本発明は、前記したような事情のもとで考え出されたものであり、機能ユニットの振動騒音などの不具合を適切に防止または抑制することが可能な浴室における機能ユニットの取付け構造を提供することを、その課題としている。
【課題を解決するための手段】
【０００７】
上記の課題を解決するため、本発明では、次の技術的手段を講じている。
【０００８】
本発明により提供される浴室における機能ユニットの取付け構造は、浴室内の取付け対象壁部からその手前側に突出して取り付けられるブラケットと、ケース内に所望の機器が組み込まれ、かつ前記取付け対象壁部とは非接触で離間した状態に前記ブラケットに保持されている機能ユニットと、を具備している、浴室における機能ユニットの取付け構造であって、前記機能ユニットの上面部および下面部には、上向きの上側凸部および下向きの下側凸部が設けられており、前記ブラケットとして、下側ブラケット、およびこの下側ブラケットとは一体または別体で形成された上側ブラケットを備えており、前記下側ブラケットは、前記取付け対象壁部に固定される下側固定板部と、この下側固定板部から前記取付け対象壁部の手前側に突出し、かつ前記機能ユニットを載せるための受板部と、この受板部に設けられ、かつ前記下側凸部が嵌入されることによって前記機能ユニットの下部側を前記取付け対象壁部から離間させるように位置決めすることが可能な下側位置決め用孔部とを有しており、前記上側ブラケットは、前記取付け対象壁部に固定される上側固定板部と、この上側固定板部から前記取付け対象壁部の手前側に突出する支持板部と、この支持板部に設けられ、かつ前記上側凸部が嵌入されることによって前記機能ユニットの上部側を前記取付け対象壁部から離間させるように位置決めすることが可能な上側位置決め用孔部または下向き開口状の位置決め用凹部とを有しており、前記受板部から上向きに起立するようにして前記下側ブラケットに設けられ、かつ前記機能ユニットを前記下側ブラケットの受板部上にその一側方から載せる際に、前記下側凸部が前記下側位置決め用孔部の形成箇所を越えて移動することを阻止するように前記機能ユニットの一側面に当接可能なストッパ部を、さらに備えており、前記ストッパ部には、前記下側位置決め用孔部に連通し、かつ前記下側凸部を嵌入させることが可能な補助孔部が設けられていることを特徴としている。
【０００９】
このような構成によれば、機能ユニットが取付け対象壁部には非接触状態であるため、機能ユニットに組み込まれている機器の動作などに起因して機能ユニットに振動が生じたとしても、この振動が取付け対象壁部に直接伝わることはない。機能ユニットと取付け対象壁部との衝突音も発生しない。したがって、機能ユニットの振動に起因する耳障りな騒音を好適に低減することができる。
また、従来技術においては、機能ユニットの取付け対象壁部が浴槽の壁部である場合には、外気温度が低い冬季に機能ユニットが浴槽の壁部を介して外気により冷やされる結果、機能ユニット内に結露が発生する虞があったものの、本発明によれば、機能ユニットが浴槽の壁部を介して外気により冷やされるといったこともなくなる。したがって、機能ユニット内に結露が発生する虞も好適に解消することが可能である。
その他、本発明によれば、機能ユニットと取付け対象壁部との相互間の隙間に、配線コードや配管部材を通すといったことも可能となる。
【００１１】
また、このような構成によれば、簡易な構造の上側ブラケットおよび下側ブラケットを利用し、機能ユニットを取付け対象壁部から離間させた状態に保持させることができる。機能ユニットの上側凸部は、上側ブラケットの上側位置決め用孔部または下向き開口状の位置決め用凹部に嵌入し、かつ下側凸部は、下側ブラケットの下側位置決め用孔部に嵌入しているため、機能ユニットの適切な位置決め保持が可能である。
【００１３】
さらにこのような構成によれば、機能ユニットの下側凸部を、下側ブラケットの下側位置決め用孔部に嵌入させる作業の容易化および確実化を図ることができる。浴室の狭いスペースで機能ユニットの取り付け作業を行なう場合には、機能ユニットの下側凸部や下側位置決め用凹部の位置を、作業者がはっきりと確認し難い状況となる。これに対し、前記した構成によれば、ストッパ部が下側凸部を下側位置決め用凹部に嵌入させるためのガイドとして利用されることにより、下側凸部を下側位置決め用凹部に容易かつ的確に嵌入させることが可能となる。
【００１５】
さらに、このような構成によれば、ストッパ部を、下側ブラケットとは別個に設ける場合と比較すると、構成の簡素化を図ることができる。また、ストッパ部が受板部から上向きに起立する状態に設けられていれば、機能ユニットを下側ブラケットの受板部上に載せる場合に、機能ユニットの一側面をストッパ部に当接させ易くなり、ストッパ部を利用した機能ユニットの位置決め作業の作業性をより良好にすることができる。
【００１７】
さらに、このような構成によれば、下側ブラケットの受板部上に機能ユニットを載せる際に、補助孔部に機能ユニットの下側凸部を嵌入させてから、補助孔部内において下側凸部を移動させることにより、この下側凸部を最終的に下側位置決め用孔部へ配置させるといったことが可能となる。このため、下側凸部を下側位置決め用孔部へ嵌入させる作業は、より容易化される。
【００１８】
本発明において、好ましくは、前記機能ユニットは、前後方向の幅寸法よりも左右の横幅寸法の方が大きくされた略直方体状であり、かつこの機能ユニットの前面部および背面部が前記取付け対象壁部と略平行となる向きに取り付けられている。
【００１９】
このような構成によれば、取付け対象壁部から機能ユニットが大きく嵩張った状態に突出することを抑制することができる。また、機能ユニットの取付け状態を安定させる上でも好ましいものとなる。
【００２０】
本発明のその他の特徴および利点は、添付図面を参照して以下に行なう発明の実施の形態の説明から、より明らかになるであろう。
【図面の簡単な説明】
【００２１】
【図１】（ａ）は、本発明に係る浴室における機能ユニットの取付け構造の一例を示す斜視図であり、（ｂ）は、（ａ）のIb−Ib断面図である。
【図２】図１（ａ）の分解斜視図である。
【図３】（ａ）は、図１に示す構造における機能ユニットの要部平面図であり、（ｂ）は、図１に示す構造における機能ユニットの要部底面図である。
【図４】（ａ）は、図１に示す構造における機能ユニットの内部構造を示す一部破断正面図であり、（ｂ）は、（ａ）のIVb−IVb断面図である。
【図５】図１に示す構造を組み立てる状態の説明図である。
【図６】本発明の他の例を示す分解斜視図である。
【図７】図１および図６に示す構造における下側ブラケットの下側固定板部の正面図である。
【図８】浴室における機能ユニットの取付け構造の他の例を示す分解斜視図である。
【図９】（ａ）は、図８に示す構造に用いられるブラケットの構造の他の例を示す斜視図であり、（ｂ）は、（ａ）に示す構造の分解斜視図である。
【図１０】図９に示す自在ブッシュの装着作業についての説明図である。
【図１１】（ａ），（ｂ）は、図９に示す自在ブッシュの装着作業についての対比例を示す説明図である。
【図１２】本発明の他の例を示す要部断面側面図である。
【発明を実施するための形態】
【００２２】
以下、本発明の好ましい実施の形態について、図面を参照して具体的に説明する。
【００２３】
図１に示す浴室における機能ユニットの取付け構造Ｃ１（以下、適宜「取付け構造Ｃ１」と略称する）は、機能ユニットＵと、浴室の壁部３に固定して取り付けられる上側ブラケット１および下側ブラケット２とを備えている。機能ユニットＵは、たとえば浴室の浴槽と浴槽エプロンとの隙間に設置される。なお、浴室の壁部３は、本発明でいう取付け対象壁部の一例に相当する。後述するように、機能ユニットＵの取付け対象壁部は、浴室の壁部に限定されない。
【００２４】
機能ユニットＵは、浴槽洗浄装置の構成要素として用いられるものであり、洗剤液（洗浄水）を生成し、かつこの洗剤液を浴槽に設置された洗浄ノズルに送り出すためのものである。機能ユニットＵの構成自体は、たとえば特許文献１に記載されたものと同様である。このため、機能ユニットＵについては、図４を参照して簡単に述べる。
【００２５】
図４において、機能ユニットＵは、樹脂製のケース４内に、種々の流体機器が組み付けられて一連の通水路５が構成されたものである。ケース４は、前面開口状のケース本体４０と、その前面開口部分を覆うカバー体４１（図４では、その一部分のみを示している）とを組み合わせたものである。通水路５には、洗剤投入用弁５０が接続されており、給湯機などから流入口５ａを介して供給されてきた湯水に洗剤を混入させることにより洗剤液（洗浄水）を生成可能である。この洗浄水は、流出口５ｂから浴槽洗浄用の洗浄ノズルに向けて送出される。洗剤投入用弁５０には、別途設けられている洗剤タンクから洗剤導入口５０ａを介して洗剤が供給される。前記した洗浄水の生成処理および洗浄ノズルへの送出を適切に行なうための手段として、通水路５には、フィルタ５１、水ガバナ５２、流量センサ５３、注湯電磁弁（開閉弁）５４、逆流水を通水路５の外部に逃がすための逃がし弁５５，５６、および複数の逆止弁などが設けられている。逃がし弁５５からケース４の外部への逆流水の排出は、逃がし弁５５に接続されたホース５５ａ、およびケース４の背面壁部に設けられ、かつホース５５ａが接続された孔部５５ｂを介して行なわれる。逃がし弁５６からの排水は、管体５６ａを介して行なわれる。
【００２６】
機能ユニットＵの取付けを図るための手段として、ケース４の上面部の一端寄り、および底面部の一端寄りの位置には、上側凸部４３および下側凸部４４が突設されている。これら上側凸部４３および下側凸部４４は、ケース本体４０と一体的に樹脂成形されたものである。上側凸部４３は、上向き凸状であり、図３（ａ）に示すように、たとえば平面視コ字状であって、前壁部４３ａおよび両側壁部４３ｂを有している。下側凸部４４は、下向き凸状であり、図３（ｂ）に示すように、底面視略長矩形状またはこれに近い形状である。
【００２７】
図１および図２において、上側ブラケット１および下側ブラケット２は、金属板にプレス加工などを施して形成されたものであり、ビスなどのネジ体９０を用いて浴室の壁部３に固定して取り付けられている。
機能ユニットＵは、前後方向の幅Ｌａよりも左右の横幅Ｌｂの方が大きくされた略直方体状であるが、上側ブラケット１および下側ブラケット２は、機能ユニットＵの前面部４６ａおよび背面部４６ｂが浴室の壁部３と略平行となる向きに取り付け可能である。機能ユニットＵの取付け状態において、この機能ユニットＵと浴室の壁部３との相互間には、適当な幅Ｌｃの隙間３９が形成され、浴室の壁部３と機能ユニットＵとは非接触状態となっている。
【００２８】
図２において、上側ブラケット１は、浴室の壁部３に当接してネジ体９０により固定される上側固定板部１０、この上側固定板部１０から浴室の壁部３の手前側に突出する支持板部１１、およびこの支持板部１１の先端寄り領域に連設された略逆Ｕ字状の曲げ部１２
を有している。この曲げ部１２の内側に、下向き開口状の位置決め用凹部１３が形成されている。機能ユニットＵの上側凸部４３（厳密には、上側凸部４３の前壁部４３ａ）は、位置決め用凹部１３にその下方から嵌入させることが可能であり、その嵌入時においては、図３（ａ）の仮想線に示すように、曲げ部１２は、上側凸部４３の両側壁部４３ｂ間に挟まれる。このことにより、機能ユニットＵの前後方向の位置決めが図られる。
【００２９】
図２において、下側ブラケット２は、浴室の壁部３に当接してネジ体９０により固定される下側固定板部２０、この下側固定板部２０から浴室の壁部３の手前側に突出し、かつ機能ユニットＵを載せるための受板部２１、およびこの受板部２１の一側縁部から上向きに起立したストッパ部２２を有している。受板部２１のうち、下側固定板部２０から適当な距離だけ手前側に離間した位置には、機能ユニットＵの下側凸部４４を嵌入させてその位置決めを図るための下側位置決め用孔部２３が設けられている。ストッパ部２２は、機能ユニットＵを受板部２１上にその一側方から載せる際に、機能ユニットＵと当接することにより、下側凸部４４が下側位置決め用孔部２３の形成箇所を越えて移動することを阻止するための部分である。このストッパ部２２は、たとえば受板部２１と同様な板状とされており、かつこのストッパ部２２の下部側には、下側位置決め用孔部２３に連通した補助孔部２４が設けられている。この補助孔部２４のサイズや形状は、下側位置決め用孔部２３と同様である。ストッパ部２２は、図６を参照して後述するように、下側ブラケット２を左右反転させて使用する場合に、機能ユニットＵを支持する受板部としても利用可能である。
【００３０】
次に、前記した取付け構造Ｃ１の作用について説明する。
【００３１】
機能ユニットＵの取り付けは、次のような操作で容易に行なうことが可能である。
すなわち、上側ブラケット１および下側ブラケット２を浴室の壁部３に取り付けた状態において、まず図５に示すように、上側凸部４３を位置決め用凹部１３にその下方から進入させる。次いで、位置決め用凹部１３に上側凸部４３を進入させた状態のまま、機能ユニットＵの下部側を動かし、ストッパ部２２に当接させる。この当接状態のまま機能ユニットＵを下降させると、下側凸部４４を下側位置決め用孔部２３に嵌入させることができるとともに、機能ユニットＵの底面部を受板部２１上に載せることができる。このように、機能ユニットＵを上側ブラケット１および下側ブラケット２に取り付ける際には、ボルト・ナットなどの連結部材や、工具などは不要であり、機能ユニットＵの取り付け作業を容易かつ迅速に行なうことが可能である。したがって、機能ユニットＵの設置箇所が、たとえば浴槽と浴槽エプロンとの間の狭いスペースであるような場合にも適する。機能ユニットＵを上側ブラケット１および下側ブラケット２から取り外す作業も容易である。
前記した取り付け作業を行なう場合、下側凸部４４や受板部２１の下側位置決め用孔部２３の位置は、作業者にとって判り難いが、ストッパ部２２のガイド作用によって下側凸部４４を下側位置決め用孔部２３に嵌入させることの容易化が図られているため、機能ユニットＵの取り付け作業性は、より良好である。
【００３２】
機能ユニットＵをストッパ部２２に当接させようとする場合、下側凸部４４が補助孔部２４に嵌入する場合がある。ただし、このような場合には、下側凸部４４を補助孔部２４から脱出させることなく、補助孔部２４の位置から下側位置決め用孔部２３の位置へ移動させるように機能ユニットＵを動かせばよい。したがって、下側凸部４４を下側位置決め用孔部２３に嵌入させる作業は一層容易となる。
【００３３】
図１に示した機能ユニットＵの取り付け状態においては、機能ユニットＵの重量が下側ブラケット２の受板部２１により受けられる。加えて、機能ユニットＵの下側凸部４４と下側位置決め用孔部２３との嵌合作用によって機能ユニットＵの水平方向の位置決めが的確に図られる。さらに、機能ユニットＵの上側凸部４３が上側ブラケット１の位置決め用
凹部１３に嵌入していることにより、機能ユニットＵの倒れ防止、ならびに機能ユニットＵの上部側についての水平方向の位置決めも図られる。したがって、機能ユニットＵを安定した状態に支持することが可能である。
【００３４】
図１（ａ）を参照して説明したように、機能ユニットＵと浴室の壁部３との相互間には隙間３９が形成され、これら両者は非接触状態とされている。このため、たとえば機能ユニットＵの注湯電磁弁（開閉弁）５４が開閉動作を繰り返す結果、この機能ユニットＵに振動が生じたとしても、この振動が浴室の壁部３に直接伝わることはない。機能ユニットＵの振動に起因する機能ユニットＵと浴室の壁部３との衝突音が発生するようなこともない。このため、機能ユニットＵの振動時に耳障りな騒音が発生することを極力防止することが可能となる。また、外気温度が低い冬季において、機能ユニットＵが浴室の壁部３を介して外気により冷やされることも回避される。したがって、機能ユニットＵ内に結露が発生するといった虞も解消することができる。
【００３５】
図６〜図１２（図８〜図１１を除く）は、本発明の他の実施形態を示している。これらの図において、前記実施形態と同一または類似の要素には、前記実施形態と同一の符号を付すこととし、重複説明は省略する。
【００３６】
図６に示す取付け構造Ｃ２においては、浴室の壁部３に対する機能ユニットＵの取り付けの向き（浴室の壁部３の向き）が、図１および図２に示した前記実施形態とは反対とされている。本実施形態における上側ブラケット１Ａは、前記実施形態の上側ブラケット１とは左右対称形状である。一方、下側ブラケット２は、前記実施形態の下側ブラケット２と同一構成であり、前記実施形態の下側ブラケット２と比較すると、全体を左右反転し、かつ９０°だけ回転させた姿勢とされて浴室の壁部３に取り付けられている。このため、図１および図２に示した前記実施形態と本実施形態とでは、下側ブラケット２の受板部２１とストッパ部２２とが互いに入れ替わり、前記実施形態の受板部２１が、本実施形態におけるストッパ部２２となり、かつ前記実施形態のストッパ部２２が受板部２１として用いられた構成となっている。
【００３７】
好ましくは、下側ブラケット２の下側固定板部２０については、図７に示すように、ネジ体挿通用の孔部２０ａ，２０ｂが、下側固定板部２０のコーナ部２５から４５°の角度線Ｌ上に位置する構成とされている。このような構成によれば、前記実施形態の場合と本実施形態の場合とで、上側ブラケット１（または１Ａ）のネジ止め用の孔部１０ａ，１０ｂとの関係における下側ブラケット２のネジ止め用の孔部２０ａ，２０ｂの相対的な位置が、前記実施形態の場合と本実施形態の場合とで一定となり、上側ブラケット（または１Ａ）および下側ブラケット２との位置合わせ作業（ネジ止め作業）の容易化が図られる。
【００３８】
前記説明のように、下側ブラケット２については、浴室の壁部３に対する機能ユニットＵの取り付けの向き（浴室の壁部３の向き）を変更する場合であっても、そのまま用いることができる。したがって、準備すべきブラケットの種類を少なくし、部品コストを低減する上で好ましいものとなる。
【００３９】
図８に示す取付け構造Ｃ３においては、上側ブラケット１Ｂの支持板部１１のうち、上側固定板部１０から離間した位置に上側位置決め用孔部１５が設けられており、この上側位置決め用孔部１５に、機能ユニットＵの上側凸部４３をその下方から嵌入させ得るようになっている。下側ブラケット２Ｂについては、先の実施形態におけるストッパ部２２は省略されており、貫通孔状の下側位置決め用孔部２３が受板部２２に設けられ、かつこの部分に機能ユニットＵの下側凸部４４を嵌入させ得るようになっている。このような構成であっても、上側ブラケット１Ｂおよび下側ブラケット２Ｂを利用し、機能ユニットＵを浴室の壁部３から離間させた状態に適切に取り付けることが可能である。
【００４０】
図９に示す実施形態においては、図８に示した上側ブラケット１Ｂの上側位置決め用孔部１５の内周縁部に、自在ブッシュ８が取り付けられている。自在ブッシュ８は、たとえば実開昭６１−７９４２１号公報に記載されたものと同様な構成のものであり、曲げ変形性に優れる樹脂成形品である。上側ブラケット１Ｂは金属製であるため、上側位置決め用孔部１５の内周縁部に上側凸部４３を直接接触させた場合には、機能ユニットＵの振動などに起因して上側凸部４３に摩耗を生じ易くなる虞がある。これに対し、本実施形態によれば、そのような虞を適切に防止することが可能である。もちろん、自在ブッシュ８を、図８に示した下側ブラケット２Ｂの下側位置決め用孔部２３の内周縁部に取り付けた構成とすることもできる。
【００４１】
上側ブラケット１Ｂ（または下側ブラケット２Ｂ）に自在ブッシュ８を取り付ける場合、上側位置決め用孔部１５を矩形状に代えて、長円状に形成することが好ましい。上側位置決め用孔部１５が矩形状とされている場合には、図１１（ａ）に示すように、自在ブッシュ８の始端８ａが上側位置決め用孔部１５の長辺部１５ａにある場合と、同図（ｂ）に示すように、始端８ａが上側位置決め用孔部１５の短辺部１５ｂにある場合とでは、自在ブッシュ８の取り付け状態に大きな差異が生じる（符号８ｂは、終端を示す）。同図（ａ）の場合には、自在ブッシュ８の曲げ部Ｒが計４箇所になるのに対し、同図（ｂ）の場合には、自在ブッシュ８の曲げ部Ｒが計計３箇所になるからである。これに対し、図１０に示すように、上側位置決め用孔部１５が長円状の場合には、丸みを帯びた両側縁部１５ｃに自在ブッシュ８の始端８ａを位置させることは実際上難しい。このため、直線状の長辺部１５ａの位置に自在ブッシュ８の始端８ａを配置させざるを得ないこととなり、自在ブッシュ８の取り付け態様の一定化および適正化を好適に図ることが可能である。
【００４２】
図１２に示す取付け構造Ｃ４においては、機能ユニットＵの前面部４６ａおよび背面部４６ｂが、浴室の壁部３に対して略直交する方向となるように設定されており、上側ブラケット１Ｃおよび下側ブラケット２Ｃは、そのような取り付けが可能な構成とされている。本実施形態においても、機能ユニットＵと浴室の壁部３との間に、適当な幅Ｌｃの隙間３９を形成することにより、機能ユニットＵが振動する際の騒音低減効果などを得ることが可能である。本実施形態から理解されるように、機能ユニットＵの取り付けの向きは限定されない。
【００４３】
本発明は、上述した実施形態の内容に限定されない。本発明に係る浴室における機能ユニットの取付け構造の各部の具体的な構成は、本発明の意図する範囲内において種々に設計変更自在である。
【００４４】
上側ブラケットおよび下側ブラケットは、互いに別体に形成されていなくてもよく、これらが一体的に繋がった状態に形成されていてもよい。
本発明でいう機能ユニットは、浴槽洗浄に用いる洗浄水を生成するものに限定されない。たとえば、ジェットバス用のポンプをケース内に組み込んだものや、湯水流路などを切り替えるための方向切り替え弁またはその他の弁をケース内に組み込んだものなど、要は、所望の機器がケース内に組み込まれてユニット化されたものであればよい。機能ユニットの取付け対象壁部は、浴室の壁部に限定されず、浴室内に位置する壁部であれば取付け対象壁部とすることができる。たとえば、浴槽のエプロン、浴槽パンの周縁部から上向きに立ち上がったフランジ部なども、取付け対象壁部とすることが可能である。
【符号の説明】
【００４５】
Ｃ  浴室における機能ユニットの取付け構造
Ｕ  機能ユニット
１，１Ａ〜１Ｃ  上側ブラケット
１０  上側固定板部
１１  支持板部
１３  位置決め用凹部
１５  上側位置決め用孔部
２，２Ｂ，２Ｃ  下側ブラケット
２０  下側固定板部
２１  受板部
２２  ストッパ部
２３  下側位置決め用孔部
２４  補助孔部
３  浴室の壁部（取付け対象壁部）
３９  隙間
４  ケース（機能ユニットの）
４３  上側凸部
４４  下側凸部
【図１】
0006528960.tif 000002
【図２】
0006528960.tif 000003
【図３】
0006528960.tif 000004
【図４】
0006528960.tif 000005
【図５】
0006528960.tif 000006
【図６】
0006528960.tif 000007
【図７】
0006528960.tif 000008
【図８】
0006528960.tif 000009
【図９】
0006528960.tif 000010
【図１０】
0006528960.tif 000011
【図１１】
0006528960.tif 000012
【図１２】
0006528960.tif 000013